(57)【要約】【課題】ベルトと駆動プーリーの摺動音低減と水分付着による「滑り」を防止する。【解決手段】洗濯機本体３１内に支持した水受け槽３２内に回転自在に支持された回転ドラム３３と、前記水受け槽３２の外底部に固着したモータ２０と、前記モータ２０の軸端に構成した駆動プーリ―２と、前記回転ドラム３３に一端を固着した回転軸３５の他端には固設した従動プーリ―３７と、前記モータ２０の回転を前記従動プーリー３７に伝達するベルト３８とを備え、前記駆動プーリー２の外周を被覆する断面略コ字状の防水カバー１をモータ２０に固着したことにより、駆動プーリー２とベルト３８との摺動摩擦より発生する異音の拡散を防止するとともに、水分が駆動プーリー２とベルト３８の摺動部に付着する事による「滑り」の発生を防止し、洗濯・脱水行程での回転数等の低下による性能低下を防ぐことができる。【選択図】図２
2012085838.tif 000002
【特許請求の範囲】
【請求項１】
洗濯機本体内に弾性的に支持した水受け槽と、前記水受け槽内に回転自在に支持された回転ドラムと、前記水受け槽の外底部に固着したモータと、前記モータの軸端に構成した駆動プーリ―と、前記回転ドラムに一端を固着した回転軸と、前記回転軸の他端に固設した従動プーリ―と、前記モータの回転を前記従動プーリ―に伝達するベルトとを備え、前記駆動プーリ―の外周を被覆する断面略コ字状の防水カバーを前記モータに固着したドラム式洗濯機。
【請求項２】
防水カバーは、内周部に吸音フェルトを装着した請求項１記載のドラム式洗濯機。
【請求項３】
吸音フェルトの装着区域は、ベルトが通過する開口部を除く駆動プーリ―の周囲とした請求項２記載のドラム式洗濯機。
【発明の詳細な説明】
【技術分野】
【０００１】
本発明は、ドラム式洗濯機の回転ドラムを駆動するモータの駆動プーリーとベルトの構成に関するものである。
【背景技術】
【０００２】
従来、この種のドラム式洗濯機の回転ドラム駆動構成は、水受け槽外底部に固着したモータの回転をモータ軸に形成した駆動プーリーまたは、モータ軸に固着した駆動プーリーからベルトを介して回転ドラムに直結する従動プーリーに伝達するものである（例えば、特許文献１参照）。
【０００３】
図４は、従来のドラム式洗濯機の縦断面図であり、図４に於いて、洗濯機本体３１内部に、水受け槽３２を配し、前記水受け槽３２内部に回転軸３５にて正転、逆転自在に回転ドラム３３が回転自在に軸支される。前記回転ドラム３３は外周壁に脱水運転時の多数の水抜き用の小孔４１を設け、内周壁には複数個の衣類攪拌用バッフル３６を構成し、洗濯行程では低速正逆回転（例えば５０ｒｐｍ）にて衣類の攪拌を、脱水行程では、高速一方向回転（例えば１０００ｒｐｍ）にて衣類からの水分の遠心分離を行う。
【０００４】
前記回転ドラム３３の図４で右端部には回転軸３５を固着し、さらに回転軸３５の右端には従動プーリー３７を固着する。水受け槽３２の外底部には整流子モータ２０を配し、前記整流子モータ２０のモータ軸３９の軸端部に形成した複数条のＶ溝４３と、前述の従動プーリー３７間には、複数条のＶ状溝４２を有すベルト３８を張架する。
【０００５】
洗濯機本体３１の上方に、スイッチ（図示せず）等から入力信号を受けるマイコン（図示せず）等を組み込んだ制御手段３４を配し、洗濯〜脱水等の一連の行程の制御等を行うと共に、前記整流子モータ２０の洗濯低回転と脱水高回転の切替制御を行う。
【０００６】
図５のモータ軸近傍の詳細図において、モータ軸３９は強度や剛性を有する鋼材で加工し、モータ軸３９の先端部外周には、ベルト３８のＶ状溝４２に対応する複数条のＶ溝４３を加工する。前記複数条のＶ溝４３の外径Ｄ２は、モータ軸３９の直径Ｄ１に近似して加工し、別部材の駆動プーリー等を構成することなく、直径の小さい駆動側のプーリーを実現できるので、従動プーリー３７の外径を大きくすることなく減速比を高めることができる。
【０００７】
以上のように、整流子モータ２０の回転数切り替え制御により、一つの減速比の回転伝達で洗濯、脱水により回転ドラム３３の回転駆動を行う構成である。
【先行技術文献】
【特許文献】
【０００８】
【特許文献１】特開２００９−７８０５６号公報
【発明の概要】
【発明が解決しようとする課題】
【０００９】
しかしながら、このような従来の構成では、減速比を大きくする為にモータ側の駆動プーリーの外径を小さく設定しなければならないが、この時ベルト３８とモータ軸３９のＶ溝４３との周速度は高速となる。
【００１０】
ベルトは一般に、耐熱、耐摩性等を有する合成ゴムを主体に構成されているため摩擦力が高く、ベルト３８のＶ状溝４２とモータ軸３９の先端部外周Ｖ溝４３とが高速の周速度で密着・離脱を繰り返する際に摺動音を発生し、運転時の異音として使用者に不快感を与えるという課題がある。
【００１１】
また水受け槽３２等に低温の洗濯水等が供給された場合、洗濯機本体３１内部の空気に含まれる水分が水受け槽３２等の外壁に凝結し、前記のＶ状溝４２とＶ溝４３の摺動部に滴下し付着する事がある。周速度が低い場合は若干の水分が付着しても回転伝達力には大きい影響を与えないが、従来例のような駆動側のプーリー径が小さく周速度が速いと滑り（スリップ）を発生し、正確な回転伝達ができなくなり、洗濯や脱水行程での性能が低下するという課題がある。
【００１２】
本発明は、上記従来の課題を解決するもので、ベルトと駆動プーリーの摺動音低減と、水分付着による滑り（スリップ）を防止することを目的としている。
【課題を解決するための手段】
【００１３】
本発明は上記目的を達成するために、本発明のドラム式洗濯機は、洗濯機本体内に弾性的に支持した水受け槽と、前記水受け槽内に回転自在に支持された回転ドラムと、前記水受け槽の外底部に固着したモータと、前記モータの軸端に構成した駆動プーリ―と、前記回転ドラムに一端を固着した回転軸と、前記回転軸の他端に固設した従動プーリ―と、前記モータの回転を前記従動プーリ―に伝達するベルトとを備え、前記駆動プーリ―の外周を被覆する断面略コ字状の防水カバーを前記モータに固着したものである。
【００１４】
これにより、駆動プーリーとベルトとの摺動摩擦より発生する異音の拡散を防止するとともに、水受け槽等外壁に凝結した水分が駆動プーリーとベルトの摺動部に付着する事による「滑り」の発生を防止し、洗濯・脱水行程での回転数等の変動による性能低下を防ぐことができる。
【発明の効果】
【００１５】
本発明のドラム式洗濯機は、駆動プーリーとベルトの摺動音低減と、水滴付着を防止して滑り（スリップ）の発生による性能低下を解消ができる。
【図面の簡単な説明】
【００１６】
【図１】本発明の実施の形態におけるドラム式洗濯機の縦断面図
【図２】同ドラム式洗濯機のモータ軸近傍の詳細図
【図３】同ドラム式洗濯機の図２におけるＢ方向からのＣ断面図
【図４】従来のドラム式洗濯機の縦断面図
【図５】同上ドラム式洗濯機のモータ軸近傍の詳細図
【発明を実施するための形態】
【００１７】
第１の発明は、洗濯機本体内に弾性的に支持した水受け槽と、前記水受け槽内に回転自在に支持された回転ドラムと、前記水受け槽の外底部に固着したモータと、前記モータの軸端に構成した駆動プーリ―と、前記回転ドラムに一端を固着した回転軸と、前記回転軸の他端に固設した従動プーリ―と、前記モータの回転を前記従動プーリ―に伝達するベルトとを備え、前記駆動プーリ―の外周を被覆する断面略コ字状の防水カバーを前記モータに固着したことにより、駆動プーリーとベルトとの摺動摩擦より発生する異音の拡散を防止するとともに、水受け槽等外壁に凝結した水分が駆動プーリーとベルトとの摺動部に付着する事による「滑り」の発生を防止し、洗濯・脱水行程での回転数等の低下による性能低下を防ぐことができる。
【００１８】
第２の発明は、特に、上記第１の発明の防水カバーを、内周部に吸音フェルトを装着したことにより、駆動プーリーとベルトとの摺動摩擦より発生する異音を吸音することにより、騒音発生を著しく低減する事が出来る。
【００１９】
第３の発明は、特に、上記第２の発明の吸音フェルトの装着区域を、ベルトが通過する開口部を除く駆動プーリ―の周囲としたことにより、発生した異音をより効果的に吸収できるものである。
【００２０】
以下、本発明の実施の形態について、図面を参照しながら説明する。なお、従来例と同じ構成のものは同一符号を付して説明を省略する。また、この実施の形態によって本発明が限定されるものではない。
【００２１】
（実施の形態１）
図１は、本発明の実施の形態におけるドラム式洗濯機の縦断面図、図２は、モータ軸近傍の詳細図、図３は、図２におけるＢ方向からのＣ断面図を示すものである。
【００２２】
図１の断面図において、回転ドラム３３を回転自在に軸支した水受け槽３２の外底部に配したモータ２０の、モータ軸３９（図１では図示せず）先端部には、防水カバー１を装着する。
【００２３】
図２の詳細図に於いて、モータ軸３９の先端部には、ベルト３８を張架した多数のＶ溝４３を有する駆動プーリー２を固着し、前記駆動プーリー２の外周には、駆動プーリー２の周囲を被覆する断面略コ字状の防水カバー１を配する。
【００２４】
前記防水カバー１は、プラスチック成型部材等で構成し、ベルト３８が通過する個所に開口３を有した断面略コ字状の円筒形状に形成する。この防水カバー１は、モータ２０側において、複数個のＬ字状の爪片４を有し、この爪片４をモータ２０の前板５の小孔８に係着し位置決めするようになっている。
【００２５】
また円筒部１ａ外周のモータ２０側においてには、複数個の取付座６を一体形成し、小ねじ７により、前記モータ２０の前板５にねじ止めされる。
【００２６】
さらに、円筒部１ａ内周部には、不織布等による吸音フェルト９が嵌め込みまたは、接着により装着されている。
【００２７】
防水カバー１のコ字状の右辺（図２で右側面）には、前記ベルト３８が通過する開口３に連なる側面開口１０を形成し、この側面開口１０側よりベルト３８の駆動プーリー２への装着や、摺動状態の観察や、ベルト張力等の観察が可能なように構成している。
【００２８】
図３の断面図に於いて、防水カバー１は、ベルト３８が通過する開口３を断面図で上方の２か所形成し、吸音フェルト９の装着は、前記開口３の二か所を除く全内周面に行う。
【００２９】
また、防水カバー１の前記ベルト３８が通過する開口３の上方側面にはリブ体１１をモータ軸３９と同方向に一体形成し、上方から防水カバー１の上面１２に滴下した水分が、開口３より内部の摺動部分に侵入しないように構成している。
【００３０】
以上のように構成した洗濯機について、その動作、作用を説明する。
【００３１】
モータ２０の回転によりベルト３８と駆動プーリー２との摺動部から発生した摺動異音は、駆動プーリー２の外周に構成した防水カバー１の遮音効果により、洗濯機本体３１の外方に伝搬する量が著しく低減されるので、運転時の異音として使用者に不快感を与えることが無くなる。
【００３２】
更に、防水カバー１の内周部には、吸音フェルト９を装着する事により、摺動異音を吸収、あるいは防水カバー１内方での反響音発生を防止するので、異音の外方への伝搬が著しく低減される。
【００３３】
吸音フェルト９の装着範囲は、ベルト３８が通過する開口３部を除きほぼ内周部の全周囲にわたり装着しているので、前記異音吸収、反響音発生防止の効果が著しく向上する構成である。
【００３４】
また、ベルト３８と駆動プーリー２との摺動部は、開口部３を除き周囲を防水カバー１にて被覆されているので、水受け槽３２等の外壁に凝結し滴下した水分が、摺動部に侵入する危険性が著しく回避され、回転ドラム３３の回転数を変動させることが無く、洗濯・脱水性能の低下を招く事がない。
【産業上の利用可能性】
【００３５】
以上のように、本発明にかかるドラム式洗濯機は、減速比の大きく設定し周速の早い駆動プーリーとベルトとの摺動異音の発生を、機器の外方に伝達する事を防止が可能となるので、減速比の大きい機器、例えば衣類乾燥機の減速機構として有用である。
【符号の説明】
【００３６】
１    防水カバー
２    駆動プーリー
３    開口部
９    吸音フェルト
１０  側面開口
２０  整流子モータ（モータ）
３１  洗濯機本体
３２  水受け槽
３３  回転ドラム
３５  回転軸
３７  従動プーリー
３８  ベルト
【図１】
2012085838.tif 000003
【図２】
2012085838.tif 000004
【図３】
2012085838.tif 000005
【図４】
2012085838.tif 000006
【図５】
2012085838.tif 000007